(57)【要約】      （修正有）【課題】安全性は確保しながら、取り付け取り外しが容易でありかつ低コストで製造するこのできる、ガス遮断装置のための保安カバーを提供する。【解決手段】保安カバー１０は、全体が変形自在な樹脂材料で作られていてガス遮断装置２０に対して着脱自在であり、一方端側を開放した筒状の胴体部分１１と胴体部分１１の他端側を閉鎖する閉鎖板１２とを備え、閉鎖板１２には適数の開口１３が形成されている。また、ガス遮断装置２０に取り付けた状態でガス栓２４とは独立して回動できるようになっている。開口１３は省略することもできる。【選択図】図４
2015055319.tif 000002
【特許請求の範囲】
【請求項１】
ガス流路を内部に持つ本体部と、該本体部の適所に取り付けられていて回動位置を選択することで前記ガス流路の閉鎖と開放を選択することのできるガス栓とを備えてなるガス遮断装置とともに用いられる保安カバーであって、
前記保安カバーは、全体が変形自在な樹脂材料で作られていて前記ガス遮断装置に対して着脱自在であり、一方端側を開放した筒状の胴体部分と該胴体部分の他端側を閉鎖する閉鎖板とを備え、前記ガス遮断装置に取り付けた状態で前記ガス栓とは独立して回動できるようになっていることを特徴とするガス遮断装置のための保安カバー。
【請求項２】
前記保安カバーに備えられた前記閉鎖板に対し、適数の開口が形成されていることを特徴とする請求項１に記載の保安カバー。
【請求項３】
前記保安カバーは前記胴体部分の後端部近傍に内側に向けた突起を有しており、前記ガス遮断装置に取り付けたときに、前記突起が前記本体部に形成された段差部に入り込んだ状態となることで、前記ガス遮断装置に対して自由には離脱できない状態で取り付けられることを特徴とする請求項１または２に記載のガス遮断装置のための保安カバー。
【請求項４】
前記樹脂材料が可撓性を有した熱可塑性樹脂であることを特徴とする請求項１〜３のいずれか一項に記載のガス遮断装置のための保安カバー。
【発明の詳細な説明】
【技術分野】
【０００１】
本発明は、ガス遮断装置のための保安カバーに関する。
【背景技術】
【０００２】
ガス燃焼機器やガスメーターのようなガス機器に接続するガス管路にはガス遮断装置が取り付けられており、長期間にわたってガス機器を使用しないときなどには、ガス遮断装置を操作してガス機器へのガス流を遮断することで、安全性を確保している。ガス管路に取り付けるガス遮断装置は、一般に、ガス流路を内部に持つ本体部と、該本体部の適所に取り付けられていて回動位置を選択することで前記ガス流路の閉鎖と開放を選択することのできるガス栓とで構成されている。
【０００３】
前記したガス遮断装置が屋外に設置される場合があり、特にガスメーターに接続するガス配管に取り付けられるガス遮断装置は、ほとんどの場合、屋外に設置される。屋外に設置されるガス遮断装置に対しては、いたずらや自然環境から保護することが必要であり、そのためのガス遮断装置用の保安カバーが、特許文献１、２等に記載されている。特許文献１、２に記載される従来のガス遮断装置のための保安カバーは、ガス遮断装置を構成するガス栓の上から被せるようになっており、被せた状態で保安カバーの下方部分はガス遮断装置の本体部に自由に回動できない状態で係着した状態となるとともに、ガス栓の操作摘みの自由な回動も規制するようになっている。
【先行技術文献】
【特許文献】
【０００４】
【特許文献１】実用新案登録第２５２２９８３号公報
【特許文献２】特開２００８−２３２３８２号公報
【発明の概要】
【発明が解決しようとする課題】
【０００５】
ガス遮断装置のための保安カバーは、安全面からは、いたずらなどによってガス栓が自由に操作されないようにしっかりとした構成とすることが求められるが、利用者側にとっては、ガス遮断装置に対する取り付け取り外しが容易なことやコスト的に安価なことも求められる。この観点からみたとき、上記した形態の従来の保安カバーは、構成が複雑であることから製造コストが高く、また、ガス遮断装置に対する着脱が容易とはいえない。
【０００６】
本発明は、上記のような事情に鑑みてなされたものであり、安全性は確保しながら、取り付け取り外しが容易でありかつ低コストで製造することのできる、ガス遮断装置のための保安カバーを提供すること課題とする。
【課題を解決するための手段】
【０００７】
本発明によるガス遮断装置のための保安カバーは、ガス流路を内部に持つ本体部と、該本体部の適所に取り付けられていて回動位置を選択することで前記ガス流路の閉鎖と開放を選択することのできるガス栓とを備えてなるガス遮断装置とともに用いられる保安カバーであって、前記保安カバーは、全体が変形自在な樹脂材料で作られていて前記ガス遮断装置に対して着脱自在であり、一方端側を開放した筒状の胴体部分と該胴体部分の他端側を閉鎖する閉鎖板とを備え、前記ガス遮断装置に取り付けた状態で前記ガス栓とは独立して回動できるようになっていることを特徴とする。
【０００８】
本発明によるガス遮断装置のための保安カバーは、全体が変形自在な樹脂材料で作られており、ガス遮断装置に対する取り付け取り外しはきわめて容易であり、かつ樹脂による一体成形品として容易にかつ低コストで製造することができる。
【０００９】
また、ガス遮断装置に取り付けた状態で保安カバーはガス栓とは独立して回動できるようになっているので、保安カバーの着脱時に、あるいはいたずらなどによって、保安カバーが不用意に回動してしまったときでも、保安カバーとともにガス栓が供回りすることはなく、ガス遮断装置としての高い安定性は確保される。
【００１０】
さらに、少なくとも前記閉鎖板の部分が透過性を備える場合には、検査員等は、ガス遮断装置に取り付けた状態で前面側となる前記閉鎖板を通して、ガス栓の操作摘みが開の位置にあるか閉の位置にあるかを、容易に視認することができる。そのために、何らかの事情によりあるべき位置でない位置に操作摘みが位置しているときであっても、保安カバーを取り外すことで、容易にあるべき位置に容易に戻すことができる。
【００１１】
本発明によるガス遮断装置のための保安カバーの一態様では、前記保安カバーに備えられた前記閉鎖板に対し、適数の開口（貫通孔）が形成されていることを特徴とする。この態様では、前記閉鎖板の部分が透過性を備えない場合であっても、検査員等は、該開口を通して、ガス栓の操作摘みが開の位置にあるか閉の位置にあるかを、容易に視認することができ、また、開口から工具を差し込むことで、操作摘みの位置を変えることができる。そのために、何らかの事情によりあるべき位置でない位置に操作摘みが位置しているときであっても、保安カバーを取り外すことなく、あるべき位置に容易に戻すことができる。もちろん、保安カバーを取り外して、操作摘みの位置を調整することもできる。
【００１２】
本発明によるガス遮断装置のための保安カバーの一態様では、保安カバーは前記胴体部分の後端部近傍に内側に向けた突起を有しており、前記ガス遮断装置に取り付けたときに、前記突起が前記本体部材に形成された段差部に入り込んだ状態となることで、前記ガス遮断装置に対して自由には離脱できない状態で取り付けられることを特徴とする。この態様の保安カバーは、ガス遮断装置に取り付けたときに、より安定した取り付け姿勢が確保され、強風などの自然環境によって外れてしまうようなことを確実に回避することができる。
【００１３】
本発明において、保安カバーを構成する樹脂材料に特に制限はなく、所要の可撓性を備えるものであれば適宜用いることができる。ポリエチレン、ポリプロピレン等の可撓性を有したオレフィン系樹脂であることが好ましいが、ＥＶＡ、ＡＢＳ、ポリカーボネート等の熱可塑性樹脂であってもよい。
【発明の効果】
【００１４】
本発明によれば、安全性は確保しながら、取り付け取り外しが容易でありかつ低コストで製造することのできる、ガス遮断装置のための保安カバーが得られる。
【図面の簡単な説明】
【００１５】
【図１】本発明によるガス遮断装置のための保安カバーの一実施の形態を示す斜視図。
【図２】図１に示す保安カバーのａ−ａ線に沿う断面図。
【図３】図１に示す保安カバーを取り付けるガス遮断装置を組み込んだガスメーターを説明するための斜視図。
【図４】ガス遮断装置に保安カバーを取り付けた状態を示す側面図。
【発明を実施するための形態】
【００１６】
以下、図面を参照しながら、本発明によるガス遮断装置のための保安カバーの一実施の形態を説明する。図１は保安カバーを前方から見た斜視図であり、図２は図１のａ−ａ線に沿う断面図である。
【００１７】
この例において、保安カバー１０はポリエチレン系樹脂の一体成形品であり、全体が不透過性であって、外からはカバー内のものを視認することはできない。保安カバー１０は、一方端（後端）側を開放した円筒状の胴体部分１１と、該胴体部分１１の他端側を閉鎖する閉鎖板１２とで形成されている。閉鎖板１２には胴体部分１１の内部を視認できる大きさの開口（貫通孔）１３が適数（図示のものでは４個）形成されている。また、図２の断面図に示すように、保安カバー１０の胴体部分１１の開放側である後端部近傍には、その内周縁の全周にわたって、内側に向けた所要高さの突条１４が一体成形されている。
【００１８】
図３は、上記した保安カバー１０を取り付ける対象物であるであるガス遮断装置２０および該ガス遮断装置２０を取り付けたガス機器の一例であるガスメーター３０を示している。ガスメーター３０は、ガス入口３１と計量後のガスが流出するガス出口３２を備え、ガス入口３１側に、前記ガス遮断装置２０が取り付けられている。ガス出口３２側には適宜の管継ぎ手３３を介して、図示しない家庭用ガス燃焼機器へのガス配管が接続している。なお、図３、図４において、３４は、ガスメーター３０等を建物側へ取り付けるときの取り付け具である。
【００１９】
ガス遮断装置２０は、図４に示すように、一端にガスメーター３０の前記ガス入口３１への接続具２１、他端に図示しないガス本管への装着具２２を備え、内部に貫通するガス流路（不図示）を有する本体部２３と、該本体部２３の屈曲部領域に取り付けられたガス栓２４とを備えている。ガス栓２４は、前記ガス流路内に位置する図示されない遮断弁と該遮断弁と一体となっている操作具２５とを備えており、操作具２５を回動して遮断弁の回動位置を選択することで、前記ガス流路の閉鎖と開放を選択することのできるようになっている。
【００２０】
前記操作具２５は、円筒形の基部２６と該基部２６から立ち上がる摘み２７とを有しており、前記本体部２３における前記操作具２５の基部２６と対向する部分は、基部２６の直径よりもわずかに大きい円筒形部分２８とされている。そして、該円筒形部分２８の裏面側には段差部２９が形成されている。
【００２１】
前記保安カバー１０の胴体部分１１の内径は、本体部２３の前記円筒形部分２８の外径とほぼ同じとされ、また、胴体部分１１の長さは、本体部２３の前記円筒形部分２８の長さと前記操作具２５の基部２６の裏面から摘み２７の先端までの長さとほぼ等しいか大きくされている。具体的な一例では、前記胴体部分１１の内径は５０ｍｍ、長さは３５ｍｍ、胴体部分１１および閉鎖板１２の厚みは５ｍｍ程度である。また、閉鎖板１２に形成した開口１３は円孔であり、直径は５〜１０ｍｍ程度である。さらに、前記突条１４の高さは５ｍｍ程度である。
【００２２】
保安カバー１０をガス遮断装置２０に取り付けるに当たっては、保安カバー１０の後端開放側を手でやや押し広げた状態とし、前記ガス栓２４の操作具２５側から本体部２３に向けて押し込んでいく。胴体部分１１の前記突条１４の部分が、本体部２３の前記円筒形部分２８に達したときに、指先による拘束を解放する。それにより、図４に示すように、保安カバー１０は、その突条１４を本体部２３の円筒形部分２８の段差部２９に係止した状態で、かつ、ガス栓２４の部分を外側から包囲するようにして、ガス遮断装置２０に取り付けられる。
【００２３】
取り付けた状態で、保安カバー１０の突条１４は本体部２３の円筒形部分２８の段差部２９に係止した状態となっており、強風などの自然環境によって保安カバー１０がガス遮断装置２０から不用意に外れることはない。一方、検査員等が保安カバー１０を取り外そうとする場合には、少しひねりを加えることで、容易に取り外すことができる。また、取り付けた状態で、保安カバー１０の内面と前記操作具２５とは接触しない寸法とされているので、保安カバー１０がいたずら等によって回動された場合でも、操作具２５が供回りすることはなく、操作具２５は所定の位置を維持することができる。
【００２４】
さらに、取り付けた状態で、検査員等は、保安カバー１０の閉鎖板１２に形成した開口１３を通して、内側を容易に視認することが可能であり、操作具２５の摘み２７の位置があるべき方向を向いているかどうかを、外から容易に確認することができる。そして、何らかの都合であるべき位置にないときには、該開口１３から適宜の器具を差し込んで、または、保安カバー１０を取り外した後、本来の位置に操作具２５を回動し、保安カバー１０を取り外した場合には、再度、保安カバー１０をガス栓２４の部分に装着することで、容易にあるべき姿勢に回復することができる。
【００２５】
図示しないが、保安カバー１０を、少なくとも前記した閉鎖板１２の部分を透過性を備えた材料で作ることもできる。その場合には、検査員等は、保安カバー１０をガス遮断装置２０に取り付けた状態で、閉鎖板１２を通して、操作摘み２７が開の位置にあるか閉の位置にあるかを視認することができる。そして、何らかの事情によりあるべき位置でない位置に操作摘み２７が位置しているときには、保安カバー１０を取り外すことで、容易に操作摘み２７をあるべき位置に戻すことができる。
【符号の説明】
【００２６】
１０…保安カバー、
１１…円筒状の胴体部分、
１２…閉鎖板、
１３…閉鎖板に形成した開口（貫通孔）、
１４…突条、
２０…ガス遮断装置、
２１、２２…ガスメーターへの接続具、
２３…本体部、
２４…ガス栓、
２５…操作具、
２６…操作具の基部、
２７…操作具の摘み、
２８…本体部の円筒形部分、
２９…段差部、
３０…ガスメーター。
【図１】
2015055319.tif 000003
【図２】
2015055319.tif 000004
【図３】
2015055319.tif 000005
【図４】
2015055319.tif 000006